(57)【要約】【課題】天面を迅速かつ簡単に閉じて封緘することができる段ボール箱を提供する。【解決手段】外蓋フラップ８には、先端縁に突出するロック凸部９が設けられると共に、ロック凸部９の基部両側から側板１との境界方向へかけて間隔が狭くなる補助罫線１０が入れられ、中蓋フラップ７には、先端縁から端板側へかけて、ロック凸部９を回避する切欠部１１が形成されると共に、切欠部１１に臨む角部に、外蓋フラップ８の補助罫線１０に重なる補助罫線１２が斜め方向に入れられたものとする。外蓋フラップ８のロック凸部９の付近を押し下げて、外蓋フラップ８及び中蓋フラップ７を補助罫線１０，１２に沿って撓ませつつ、ロック凸部９を内蓋フラップ６の先端縁に臨む部分の下方へ潜り込ませると、内蓋フラップ６、中蓋フラップ７及び外蓋フラップ８が反発で立ち上がらないようにロックされ、天面が閉じられた封緘状態となる。【選択図】図２
0003209115.tif 000002
【実用新案登録請求の範囲】
【請求項１】
側板(1)及び端板(2)がそれぞれ対向し、一方の側板(1)の上端に内蓋フラップ(6)が、対をなす端板(2)の上端に中蓋フラップ(7)が、他方の側板(1)の上端に外蓋フラップ(8)がそれぞれ連設され、これらが順次折り重ねられて天面が閉止される段ボール箱において、
前記外蓋フラップ(8)には、先端縁に突出するロック凸部(9)が設けられると共に、前記ロック凸部(9)の基部両側から前記側板(1)との境界方向へかけて間隔が狭くなる補助罫線(10)が入れられ、
前記中蓋フラップ(7)には、先端縁から端板(2)側へかけて、前記外蓋フラップ(8)のロック凸部(9)を回避する切欠部(11)が形成されると共に、前記切欠部(11)に臨む角部に、前記外蓋フラップ(8)の補助罫線(10)に重なる補助罫線(12)が斜め方向に入れられ、
前記外蓋フラップ(8)のロック凸部(9)の付近を押し下げて、前記外蓋フラップ(8)及び中蓋フラップ(7)を補助罫線(10,12)に沿って撓ませつつ、前記外蓋フラップ(8)のロック凸部(9)を前記内蓋フラップ(6)の先端縁に臨む部分の下方へ潜り込ませると、前記内蓋フラップ(6)、中蓋フラップ(7)及び外蓋フラップ(8)が反発で立ち上がらないようにロックされ、天面が閉じられた封緘状態となる簡易ロック付き段ボール箱。
【請求項２】
前記外蓋フラップ(8)の補助罫線(10)は、前記内蓋フラップ(6)に突き合わされる先端縁に対する角度θが１１０°〜１６０°となるように入れられていることを特徴とする請求項１に記載の簡易ロック付き段ボール箱。
【請求項３】
前記中蓋フラップ(7)の切欠部(11)は、先端縁の中央部から前記内蓋フラップ(6)側の側端基部まで開放されるように切り欠かれていることを特徴とする請求項１又は２に記載の簡易ロック付き段ボール箱。
【請求項４】
前記中蓋フラップ(7)の切欠部(11)は、先端縁の中央部からその両側方を残して前記端板(2)の方向へスロット状に切り欠かれていることを特徴とする請求項１又は２に記載の簡易ロック付き段ボール箱。
【考案の詳細な説明】
【技術分野】
【０００１】
この考案は、接着テープを用いることなく、簡単に天面を閉じた封緘状態にすることができる段ボール箱に関するものである。
【背景技術】
【０００２】
従来、簡易ロックを備えた段ボール箱として、本出願人は、図７に示すようなものを提案している（下記特許文献１参照）。
【０００３】
この段ボール箱は、周壁を形成する各一対の側板５１及び端板５２を有し、一方の側板５１の上端に内蓋フラップ５３が、各端板５２の上端に中蓋フラップ５４が、他方の側板５１の上端に外蓋フラップ５５がそれぞれ連設され、内蓋フラップ５３、中蓋フラップ５４及び外蓋フラップ５５が順次折り重ねられて天面が閉止されるものである。
【０００４】
内蓋フラップ５３には、先端縁の中央部に突出するロック凸部５６が設けられ、このロック凸部５６の両側の基部から側板５１との境界方向へかけて間隔が狭くなる補助罫線５６ａが入れられると共に、ロック凸部５６の幅方向中央部に先端から側板５１との境界方向へかけて補助罫線５６ｂが入れられている。
【０００５】
内蓋フラップ５３のロック凸部５６を引き上げて、補助罫線５６ａ，５６ｂに沿って撓ませつつ、外蓋フラップ５５の先端縁に臨む部分の上方に載せると、内蓋フラップ５３、中蓋フラップ５４及び外蓋フラップ５５が反発で立ち上がらないようにロックされる。
【０００６】
このような段ボール箱では、箱の内部に複数個の商品がほとんど隙間なく収納されていても、商品を傷付けることなく、また、接着テープを用いることなく、天面が閉じられた封緘状態にすることができる。
【先行技術文献】
【特許文献】
【０００７】
【特許文献１】特開２００１−２２５８３５号公報
【考案の概要】
【考案が解決しようとする課題】
【０００８】
しかしながら、上記のような段ボール箱では、天面をロックする際、外蓋フラップ５５の下方に隠れたロック凸部５６を引き上げて、外蓋フラップ５５の上方に載せなければならず、その作業が難しいという問題がある。
【０００９】
特に、流通過程で一旦開封して、印字加工したラベルを商品に貼り付けるような作業を行う場合、再封緘に手間取り、その工程での作業遅延が問題となる。
【００１０】
そこで、この考案は、迅速かつ簡単に、天面を閉じた封緘状態にすることができる段ボール箱を提供することを課題とする。
【課題を解決するための手段】
【００１１】
上記のような課題を解決するため、この考案は、側板及び端板がそれぞれ対向し、一方の側板の上端に内蓋フラップが、対をなす端板の上端に中蓋フラップが、他方の側板の上端に外蓋フラップがそれぞれ連設され、これらが順次折り重ねられて天面が閉止される段ボール箱において、
前記外蓋フラップには、先端縁に突出するロック凸部が設けられると共に、前記ロック凸部の基部両側から前記側板との境界方向へかけて間隔が狭くなる補助罫線が入れられ、
前記中蓋フラップには、先端縁から端板側へかけて、前記外蓋フラップのロック凸部を回避する切欠部が形成されると共に、前記切欠部に臨む角部に、前記外蓋フラップの補助罫線に重なる補助罫線が斜め方向に入れられ、
前記外蓋フラップのロック凸部の付近を押し下げて、前記外蓋フラップ及び中蓋フラップを補助罫線に沿って撓ませつつ、前記外蓋フラップのロック凸部を前記内蓋フラップの先端縁に臨む部分の下方へ潜り込ませると、前記内蓋フラップ、中蓋フラップ及び外蓋フラップが反発で立ち上がらないようにロックされ、天面が閉じられた封緘状態となるものとしたのである。
【００１２】
また、前記外蓋フラップの補助罫線は、前記内蓋フラップに突き合わされる先端縁に対して、１１０°〜１６０°の角度をなすように入れられているものとし、外蓋フラップ及び中蓋フラップが補助罫線に沿って撓みやすくなるようにしたのである。
【００１３】
また、前記中蓋フラップの切欠部は、先端縁の中央部から前記内蓋フラップ側の側端基部まで開放されるように切り欠かれているものとし、この切欠部を介して箱の内部に商品を挿入しやすくしたのである。
【００１４】
或いは、前記中蓋フラップの切欠部は、先端縁の中央部からその両側方を残して前記端板の方向へスロット状に切り欠かれているものとし、内蓋フラップ、中蓋フラップ及び外蓋フラップの先端縁を極力揃えて、フォルダグルアへの適性を向上させたのである。
【考案の効果】
【００１５】
この考案に係る段ボール箱では、収納された商品の隙間が僅かであっても、また平面の中央部からずれた位置にあっても、その僅かな隙間に対応して、外蓋フラップの先端縁の適宜の位置にロック凸部を配置し、外蓋フラップ及び中蓋フラップに補助罫線を入れることにより、商品を傷付けることなく、内蓋フラップ、中蓋フラップ及び外蓋フラップを簡単にロックして封緘することができる。
【図面の簡単な説明】
【００１６】
【図１】この考案の第１実施形態に係る段ボール箱のブランクを示す図
【図２】同上の段ボール箱の封緘状態を示す斜視図
【図３】同上の開封状態を示す斜視図
【図４】この考案の第２実施形態に係る段ボール箱のブランクを示す図
【図５】同上の段ボール箱の封緘状態を示す斜視図
【図６】同上の開封状態を示す斜視図
【図７】特許文献１に記載の段ボール箱の封緘状態を示す斜視図
【考案を実施するための形態】
【００１７】
以下、この考案の実施形態を添付図面に基づいて説明する。
【００１８】
図１に示す第１実施形態のブランクでは、段目が縦方向に向き、各一対の側板１及び端板２が横方向に交互に連設され、一方の端板２の外側端には継代片３が連設されている。各一対の端板２及び側板１の下端には、それぞれ内底フラップ４及び外底フラップ５がそれぞれ連設され、一方の側板１の上端には内蓋フラップ６が、一対の端板２の上端には中蓋フラップ７が、他方の側板１の上端には外蓋フラップ８がそれぞれ連設されている。
【００１９】
これらの各部分の境界には、段ボールを裏面側から押圧した罫線が入れられており、内蓋フラップ６、中蓋フラップ７及び外蓋フラップ８には、封緘時や開封時の屈伸を容易にするため、その基部に側板１及び端板２との境界の罫線に対し僅かな間隔をあけて平行する罫線が入れられている。
【００２０】
外蓋フラップ８には、後述のように収納する商品Ｃ間に生じる隙間に対応して、先端縁の片側へ寄った位置に突出するロック凸部９が設けられ、ロック凸部９の両側の基部から側板１との境界方向へかけて間隔が狭くなるように、斜め方向に延びる補助罫線１０が入れられている。補助罫線１０は、段ボールを裏面側から押圧したものとされている。
【００２１】
補助罫線１０が封緘状態で内蓋フラップ６に突き合わされる外蓋フラップ８の先端縁に対してなす角度θは、１１０°〜１６０°の範囲とされ、この実施形態では、１２９°とされている。
【００２２】
一対の中蓋フラップ７には、先端縁中央部から内蓋フラップ６側の側端基部まで開放されるように、切欠部１１が形成されている。
【００２３】
一方の中蓋フラップ７には、切欠部１１に臨む角部に、封緘時に外蓋フラップ８の補助罫線１０に重なる補助罫線１２が斜め方向に入れられている。補助罫線１２もまた、段ボールを裏面側から押圧したものとされている。
【００２４】
このブランクにおいて、側板１の上端から内蓋フラップ６の先端までの延出長さ及び外蓋フラップ８のロック凸部９の先端までの延出長さは、側板１の下端から外底フラップ５の先端までの延出長さ及び端板２の下端から内底フラップ４の先端までの延出長さよりも４ｍｍ程度大きくなっている。
【００２５】
また、端板２の上端から中蓋フラップ７の先端までの延出長さは、側板１の下端から外底フラップ５の先端までの延出長さ及び端板２の下端から内底フラップ４の先端までの延出長さと同一とされている。
【００２６】
上記のようなブランクから段ボール箱をフォルダグルアにより製造するには、内蓋フラップ６、中蓋フラップ７及び外蓋フラップ８の先端縁を押して、ブランクをフォルダグルアに通し、両側の側板１と端板２の境界ｆの位置で罫線に沿って折り重ね、継代片３を反対側の側板１に貼り付けて、偏平な折畳状態とする。
【００２７】
この製造に際しては、フォルダグルアで押される内蓋フラップ６、中蓋フラップ７及び外蓋フラップ８の先端縁の位置がほぼ揃っていることから、通常の溝切り型段ボール箱を製造する既存のフォルダグルアを使用することができる。
【００２８】
一方、図２に示すように、食品入りのカップである商品Ｃを６個包装するには、各一対の側板１及び端板２を四角筒の周壁を形成するように折り曲げ、各一対の内底フラップ４及び外底フラップ５を順次内側へ折り曲げて重ね合わせ、接着剤又はテープにより固定して底壁を形成する。
【００２９】
次に、天面が開いた状態で、６個の商品Ｃを長手方向の側板１に沿って３個、幅方向の端板２に沿って２個並べるように底壁上に配列して収納する。このとき、中蓋フラップ７には先端縁の中央部から一側端の基部まで切欠部１１が大きく形成され、中蓋フラップ７で遮られる部分が少ないことから、商品Ｃを容易に箱内に挿入することができる。
【００３０】
そして、内蓋フラップ６を内側へ折り曲げ、一対の中蓋フラップ７を内蓋フラップ６に重ねるように内側へ折り曲げ、最後に外蓋フラップ８を一対の中蓋フラップ７に重ねるように内側へ折り曲げる。
【００３１】
この状態において、ロック凸部９は切欠部１１の方向へ突き出して、商品Ｃの隙間の上方に位置し、ロック凸部９の下方に中蓋フラップ７が重なることはない。また、補助罫線１０，１２が一致する。
【００３２】
その後、外蓋フラップ８のロック凸部９の付近を押し下げて、外蓋フラップ８及び一方の中蓋フラップ７を補助罫線１０，１２に沿って撓ませつつ、ロック凸部９を内蓋フラップ６の先端縁に臨む部分の下方へ潜り込ませると、内蓋フラップ６、一対の中蓋フラップ７及び外蓋フラップ８が反発で立ち上がらないようにロックされ、天面が閉じられた封緘状態となる。
【００３３】
上記のような段ボール箱では、収納された商品Ｃの隙間が僅かで平面の中央部からずれた位置にあっても、その僅かな隙間に対応して、外蓋フラップ８の先端縁の適宜の位置にロック凸部９を配置し、外蓋フラップ８及び中蓋フラップ７に補助罫線１０，１２を入れることにより、商品Ｃを傷付けることなく、内蓋フラップ６、中蓋フラップ７及び外蓋フラップ８を簡単にロックして封緘することができる。
【００３４】
また、開封時には、内蓋フラップ６のロック凸部９が重なる部分の付近を押すだけで、内蓋フラップ６とロック凸部９の係合が外れて開封されるので、封緘用の接着テープを剥がした場合のように、段ボールの表層剥離が生じることもない。
【００３５】
このため、商品Ｃの出荷作業に携わる作業者が段ボール箱の扱いに不慣れであっても、熟練者と同様のスピードで商品Ｃの箱詰め及び段ボール箱の封緘、ラベル貼付のための開封及び再封緘作業等を行うことができ、段ボール箱の傷みも防止される。
【００３６】
なお、段ボール箱の製造時におけるフォルダグルアへの適性をさらに向上させるため、図４−図６に示す第２実施形態のように、一対の中蓋フラップ７の切欠部１１は、先端縁の中央部からその両側方を残してスロット状に切り欠かれているものとし、フォルダグルアで押される中蓋フラップ７の先端縁が長くなるようにして、ブランクの搬送が安定するようにしてもよい。
【００３７】
また、上記各実施形態では、外蓋フラップ８に１個のみロック凸部９を設け、これが一方の中蓋フラップ７を回避して、内蓋フラップ６に係合するものとしているが、外蓋フラップ８に２個のロック凸部９を設け、これらがそれぞれ一方及び他方の中蓋フラップ７を回避して、内蓋フラップ６に係合するものとしてもよい。
【００３８】
また、補助罫線１０，１２が斜め方向の直線状となったものを例示しているが、補助罫線１０がロック凸部９の基部両側から側板１との境界方向へかけて間隔が狭くなるものであれば、補助罫線１０，１２は、その方向が特に限定されるものではなく、弧状に湾曲していてもよい。
【符号の説明】
【００３９】
１  側板
２  端板
３  継代片
４  内底フラップ
５  外底フラップ
６  内蓋フラップ
７  中蓋フラップ
８  外蓋フラップ
９  ロック凸部
１０  補助罫線
１１  切欠部
１２  補助罫線
Ｃ  商品
【図１】
0003209115.tif 000003
【図２】
0003209115.tif 000004
【図３】
0003209115.tif 000005
【図４】
0003209115.tif 000006
【図５】
0003209115.tif 000007
【図６】
0003209115.tif 000008
【図７】
0003209115.tif 000009